(57)【要約】 【課題】  本発明は高い捕集効率と強力な吸引力を有する真空掃除機用のサイクロン集塵装置を提供する。【解決手段】  本発明は、空気吸入口を介して流入された空気とゴミが直接モータの方に排出されるようガイドし、前記空気と共に吸入されたゴミをろ過する第１メッシュが設けられるバイパス流路と、バイパス流路の一側に設けられ空気吸入口を介して空気と共に吸入されたゴミを捕集して、きれいな空気はモータの方に排出する第１サイクロンと、第１サイクロンと並列に設けられ空気吸入口を介して空気と共に吸入されたゴミを捕集して、きれいな空気はモータの方に排出する第２サイクロンとを含み、空気と共に吸入されたゴミは第１メッシュ、第１サイクロン及び第２サイクロンにより順次捕集される。【選択図】      図２
2006297051.tif 000002
【特許請求の範囲】
【請求項１】
モータの吸引力で空気吸入口を介して空気と共に吸入されたゴミを捕集する真空掃除機用のサイクロン集塵装置において、
前記空気吸入口を介して流入された空気とゴミが直接前記モータの方に排出されるようガイドし、前記空気と共に吸入されたゴミをろ過する第１メッシュが設けられるバイパス流路と、
前記バイパス流路の一側に設けられ、前記空気吸入口を介して空気と共に吸入されたゴミを捕集して、きれいな空気は前記モータの方に排出する第１サイクロンと、
前記第１サイクロンと並列に設けられ、前記空気吸入口を介して空気と共に吸入されたゴミを捕集して、きれいな空気は前記モータの方に排出する第２サイクロンと、を含み、
空気と共に吸入されたゴミは前記第１メッシュ、第１サイクロン、及び第２サイクロンにより順次捕集されることを特徴とする真空掃除機用のサイクロン集塵装置。
【請求項２】
前記第１サイクロンの第１空気流入口は、
前記第１メッシュの側方に形成されることを特徴とする請求項１に記載の真空掃除機用のサイクロン集塵装置。
【請求項３】
前記第２サイクロンの第２空気流入口は、
前記空気吸入口の側方に形成されることを特徴とする請求項１または２に記載の真空掃除機用のサイクロン集塵装置。
【請求項４】
前記空気吸入口と前記第２サイクロンの第２空気流入口との間に設けられ、前記空気吸入口を介して吸入された空気とゴミを優先的に前記第１メッシュにガイドするガイド部材をさらに含むことを特徴とする請求項１〜３に記載の真空掃除機用のサイクロン集塵装置。
【請求項５】
前記第１サイクロンと第２サイクロンの排気口にはそれぞれ第２メッシュと第３メッシュが設けられることを特徴とする請求項１〜４に記載の真空掃除機用のサイクロン集塵装置。
【請求項６】
前記第１メッシュ、第２メッシュ、第３メッシュはそれぞれ網目の大きさが異なることを特徴とする請求項５に記載の真空掃除機用のサイクロン集塵装置。
【請求項７】
前記第１サイクロンの直径が第２サイクロンの直径より大きいことを特徴とする請求項１〜６に記載の真空掃除機用のサイクロン集塵装置。
【請求項８】
前記バイパス流路、第１サイクロン、第２サイクロンの排気口にはフィルターが設けられることを特徴とする請求項１〜７に記載の真空掃除機用のサイクロン集塵装置。
【請求項９】
モータの吸引力で空気吸入口を介して空気と共に吸入されたゴミを捕集する真空掃除機用のサイクロン集塵装置において、
前記空気吸入口を介して流入された空気とゴミが直接前記モータの方に排出されるようガイドし、前記空気と共に吸入されたゴミをろ過する第１メッシュが設けられるバイパス流路と、
前記バイパス流路の一側に設けられ、前記空気吸入口を介して吸入された空気とゴミが流入される第１空気流入口は前記第１メッシュの側方に形成され、流入されたゴミを捕集して、きれいな空気は前記モータの方に排出する第１サイクロンと、
前記第１サイクロンと並列に設けられ、前記空気吸入口を介して吸入された空気とゴミが流入される第２空気流入口は前記空気吸入口の側方に形成され、流入されたゴミを捕集して、きれいな空気は前記モータの方に排出する第２サイクロンとを含み、
吸入されたゴミは前記第１メッシュ、第１サイクロン及び第２サイクロンにより順次捕集されることを特徴とする真空掃除機用の集塵装置。
【請求項１０】
前記空気吸入口と前記第２サイクロンの第２空気流入口との間に設けられ、前記空気吸入口を介して吸入された空気とゴミを優先的に前記第１メッシュにガイドするガイド部材をさらに含むことを特徴とする請求項９に記載の真空掃除機用のサイクロン集塵装置。
【請求項１１】
前記第１サイクロンと第２サイクロンの排気口にそれぞれ第２メッシュと第３メッシュが設けられることを特徴とする請求項９〜１０に記載の真空掃除機用のサイクロン集塵装置。
【請求項１２】
前記第１メッシュ、第２メッシュ、第３メッシュはそれぞれ網目の大きさが異なることを特徴とする請求項１１に記載の真空掃除機用のサイクロン集塵装置。
【請求項１３】
前記第２サイクロンは前記バイパス流路について前記第１サイクロンと対称して設けられることを特徴とする請求項９〜１２に記載の真空掃除機用のサイクロン集塵装置。
【請求項１４】
前記第１サイクロンの直径が第２サイクロンの直径より大きいことを特徴とする請求項９〜１３に記載の真空掃除機用のサイクロン集塵装置。
【請求項１５】
前記バイパス流路、第１サイクロン、第２サイクロンの排気口にはフィルターが設けられることを特徴とする請求項９〜１４に記載の真空掃除機用のサイクロン集塵装置。
【請求項１６】
吸入ブラシと、
本体に設けられ、前記吸入ブラシからゴミの含まれた空気を吸入する、吸引力を発生するモータと、
前記吸入ブラシから吸入された空気からゴミを分離／捕集できるよう前記本体に設けられるサイクロン集塵装置とを含み、
前記サイクロン集塵装置は、
空気吸入口を介して流入された空気とゴミが直接前記モータの方に排出されるようガイドし、前記空気と共に流入されたゴミをろ過する第１メッシュが設けられるバイパス流路と、
前記バイパス流路の一側に設けられ、前記空気吸入口を介して吸入された空気とゴミが流入される第１空気流入口は前記第１メッシュの側方に形成され、流入されたゴミを捕集して、きれいな空気は前記モータの方に排出する第１サイクロンと、
前記第１サイクロンと並列に設けられ、前記空気吸入口を介して吸入された空気とゴミが流入される第２空気流入口は前記空気流入口の側方に形成され、流入されたゴミを捕集して、きれいな空気は前記モータの方に排出する第２サイクロンとを含み、
吸入されたゴミは前記第１メッシュ、第１サイクロン及び第２サイクロンにより順次捕集されることを特徴とする真空掃除機。
【請求項１７】
前記空気吸入口と前記第２サイクロンの第２空気流入口との間に設けられ、前記空気吸入口を介して吸入された空気とゴミを優先的に前記第１メッシュにガイドするガイド部材をさらに含むことを特徴とする請求項１６に記載の真空掃除機。
【発明の詳細な説明】
【技術分野】
【０００１】
本発明は、真空掃除機に関し、特に、真空掃除機用のサイクロン集塵装置に関する。
【背景技術】
【０００２】
一般に、真空掃除機はモータを回転させてホコリやゴミなどが含まれた空気を吸入する吸引力が発生させ、集塵装置を用いて空気と共に吸入されるホコリやゴミ（以下、ゴミと称する）を空気から分離／捕集して、ゴミが含まれていないきれいな空気を外部に排出することにより掃除を行う。
【０００３】
ゴミを分離／捕集する集塵装置は、多様な形態が適用できるが、半永久的に用いられるサイクロン集塵装置が常用化されている。
【０００４】
サイクロン集塵装置は吸入された空気とゴミが旋回気流をなすようにして、旋回気流に働く遠心力により空気からゴミが分離される。ゴミが分離されたきれいな空気はモータを介して掃除機の外部に排出され、分離されたゴミはサイクロン下部に設けられたゴミ収集筒に溜まる。ゴミ収集筒にゴミがいっぱいになった時には、ゴミ収集筒に収集されたゴミを捨てれば良い。
【０００５】
このように、サイクロン集塵装置はゴミの捕集効率を高めるため２つのサイクロンを直列に配列したデュアルサイクロンを用いたり、あるいはメインサイクロンの周囲に複数のサブサイクロンを同芯で直列配置したマルチサイクロンを用いる。しかし、このようなデュアルサイクロンやマルチサイクロンは高い捕集効率を有するものの、大きな圧力損失のため強力な吸引力を有しない問題点がある。
【発明の開示】
【発明が解決しようとする課題】
【０００６】
本発明の解決しようとする課題は、高い捕集効率と強力な吸引力を有する真空掃除機用のサイクロン集塵装置を提供することにある。
【０００７】
また、本発明の他の課題は、フィルターのメンテナンス周期が長く、且つ、強力な吸引力を長時間維持できる真空掃除機用のサイクロン集塵装置を提供することにある。
【課題を解決するための手段】
【０００８】
前記のような本発明の目的は、空気吸入口を介して流入された空気とゴミが直接モータの方に排出されるようガイドし、前記空気と共に吸入されたゴミをろ過する第１メッシュが設けられるバイパス流路と、前記バイパス流路の一側に設けられ、前記空気吸入口を介して空気と共に吸入されたゴミを捕集して、きれいな空気は前記モータの方に排出する第１サイクロンと、前記第１サイクロンと並列に設けられ、前記空気吸入口を介して空気と共に吸入されたゴミを捕集して、きれいな空気は前記モータの方に排出する第２サイクロンと、を含み、空気と共に吸入されたゴミは前記第１メッシュ、第１サイクロン、及び第２サイクロンにより順次捕集されることを特徴とする真空掃除機用のサイクロン集塵装置を提供することで達成される。
【０００９】
ここで、前記第１サイクロンの第１空気吸入口は前記第１メッシュの側方に形成され、前記第２サイクロンの第２空気流入口は前記空気流入口の側方に形成されることが好ましい。
【００１０】
また、前記空気吸入口と前記第２サイクロンの第２空気流入口との間に設けられ、前記空気吸入口を介して吸入された空気とゴミを優先的に前記第１メッシュにガイドするガイド部材をさらに含むことが好ましい。
【００１１】
また、前記第１サイクロンと第２サイクロンの排気口にはそれぞれ第２メッシュと第３メッシュが設けられる。このとき、前記第１メッシュ、第２メッシュ、第３メッシュはそれぞれ網目の大きさが異なることが好ましい。
【００１２】
また、前記第１サイクロンは第２サイクロンの直径より大きいことが好ましい。
【００１３】
また、前記バイパス流路、第１サイクロン、第２サイクロンの排気口にはフィルターがさらに設けられることが好ましい。
【００１４】
本発明の他の目的は、空気吸入口に流入された空気とゴミが直接モータの方に排出されるようガイドし、前記空気と共に吸入されたゴミをろ過する第１メッシュが設けられるバイパス流路と、前記バイパス流路の一側に設けられ、前記空気吸入口を介して吸入された空気とゴミが流入される第１空気流入口は前記第１メッシュの側方に形成され、流入されたゴミを捕集して、きれいな空気は前記モータの方に排出する第１サイクロンと、前記第１サイクロンと並列に設けられ、前記空気吸入口を介して吸入された空気とゴミが流入される第２空気流入口は前記空気吸入口の側方に形成され、流入されたゴミを捕集して、きれいな空気は前記モータの方に排出する第２サイクロンとを含み、吸入されたゴミは前記第１メッシュ、第１サイクロン及び第２サイクロンにより順次捕集されることを特徴とする真空掃除機用のサイクロン集塵装置を提供することで達成される。
【００１５】
また、前記空気吸入口と前記第２サイクロンの第２空気吸入口との間に設けられ、前記空気吸入口を介して吸入された空気とゴミを優先的に前記第１メッシュにガイドするガイド部材をさらに含むことが好ましい。
【００１６】
また、前記第１サイクロンと第２サイクロンの排気口にはそれぞれ第２メッシュと第３メッシュが設けられる。このとき、前記第１メッシュ、第２メッシュ、第３メッシュはそれぞれ網目の大きさが異なることが好ましい。
【００１７】
また、前記第２サイクロンは前記バイパス流路について前記第１サイクロンと対称して設けられる。
【００１８】
本発明の他の目的は、吸入ブラシと、本体に設けられ、前記吸入ブラシからゴミの含まれた空気を吸入する吸引力を発生するモータと、前記吸入ブラシから吸入された空気からゴミを分離／捕集できるよう前記本体に設けられるサイクロン集塵装置と、を含み、前記サイクロン集塵装置は、空気吸入口を介して流入された空気とゴミが直接前記モータの方に排出されるようガイドし、前記空気と共に流入されたゴミをろ過する第１メッシュが設けられるバイパス流路と、前記バイパス流路の一側に設けられ、前記空気吸入口を介して吸入された空気とゴミが流入される第１空気流入口は前記第１メッシュの側方に形成され、流入されたゴミを捕集して、きれいな空気は前記モータの方に排出する第１サイクロンと、前記第１サイクロンと並列に設けられ、前記空気吸入口を介して吸入された空気とゴミが流入される第２空気流入口は前記空気吸入口の側方に形成され、流入されたゴミを捕集して、きれいな空気は前記モータの方に排出する第２サイクロンと、を含み、吸入されたゴミは前記第１メッシュ、第１サイクロン、及び第２サイクロンにより順次捕集されることを特徴とする真空掃除機を提供することで達成される。
【００１９】
このとき、前記空気吸入口と前記第２サイクロンの第２空気流入口との間に設けられ、前記空気吸入口を介して吸入された空気とゴミを優先的に前記第１メッシュにガイドするガイド部材をさらに含むことが好ましい。
【発明の効果】
【００２０】
本発明にかかる真空掃除機用のサイクロン集塵装置によれば、バイパス流路と第１サイクロン及び第２サイクロンへ同時に吸引力が働くので、直列に配置された従来のサイクロン集塵装置に比べて強力な吸引力を有することができる。従って、ユーザは初期から強力な吸引力で掃除できる。
【００２１】
また、本発明にかかる真空掃除機用のサイクロン集塵装置によれば、第１メッシュ、第１サイクロン、第２サイクロンが順次動作するので、高い捕集効率を有すると共に従来のサイクロン集塵装置に比べて圧力損失が小さい。
【００２２】
また、本発明にかかる真空掃除機用のサイクロン集塵装置によれば、第１メッシュ、第１サイクロン、第２サイクロンが順次動作するので、掃除機の使用期間が長くなる効果があり、メッシュの詰まりも順次起こるためメッシュのメンテナンス周期を延長することができ、強力な吸引力を長時間維持できる。
【発明を実施するための最良の形態】
【００２３】
以下、添付した図面に基づき、本発明の好適な実施形態による真空掃除機用のサイクロン集塵装置について詳説する。
（実施形態１）
【００２４】
図１〜６に示すように、本発明にかかる真空掃除機用のサイクロン集塵装置１はバイパス流路１０、第１サイクロン２０、第２サイクロン３０を含む。
【００２５】
バイパス流路１０は空気吸入口２を介して吸入された空気とゴミが直接モータ１３３（図１１参照）の方に排出されるようガイドし、一端は空気吸入口２と連通され、他端は排気口１１と連通される。空気吸入口２と吸入ブラシ１１０（図１１参照）と連通され、排気口１１とモータ１３３と連通される。排気口１１には空気と共に吸入されたホコリやゴミなど（以下、ゴミと称する）をろ過する第１メッシュ１２が設けられる。第１メッシュ１２は網状のフィルターとして、ゴミにより網が詰まると、きれいな空気も通過できなくなる。第１メッシュ１２の前のバイパス流路１０には貫通孔１３が形成され、第１メッシュ１２によりろ過されたゴミは落下される。そして、バイパス流路１０の下部には第１メッシュ１２によりろ過されたゴミが収集されるゴミ収集筒１５が設けられる。バイパス流路１０は空気吸入口２を介して吸入された空気が第１及び第２サイクロン２０、３０を通らず、直接第１メッシュ１２を経てモータ１３３の方に排出されるようにできれば、多様な形態で構成できる。しかし、バイパス流路は、図４に示すように、空気吸入口２と排気口１１が一直線上に置かれ、第１サイクロン２０及び第２サイクロン３０が側壁をなすように形成されることが好ましい。
【００２６】
第１サイクロン２０はバイパス流路１０の一側に設けられ、バイパス流路１０を介して吸入された空気からゴミを分離／捕集して、ゴミが除去されたきれいな空気をモータ１３３の方に排出する。第１サイクロン２０は第１空気流入口２１、第１サイクロンボディ２２、第１排気口２３、第１排出口カバー２４、及び第１ゴミ収集筒２５を含む。
【００２７】
第１メッシュ１２が詰まると、空気吸入口２を介して流入された空気とゴミが第１サイクロン２０に流入されるよう、第１空気流入口２１は第１メッシュの側方のサイクロンボディ２２に形成されている。第１サイクロンボディ２２は第１空気流入口２１を介して流入された空気とゴミが旋回気流をなすよう円筒形に成型されている。第１排気口２３は遠心力によりゴミが除去された空気が抜け出るよう第１サイクロンボディ２２の中心に設けられる。第１排気口２２の内側には排出される空気中の残留ゴミを除去し、排出される空気に乗ってゴミが逆流することを防止するための複数の第１ゴミ除去板２６が配される。第１ゴミ除去板２６は螺旋形に成型されることが好ましい。または、図示していないが、第１排気口２３は外周面に多数の微細孔が形成されたグリル状のものを使用できる。第１排出口カバー２４は第１排気口２３を介した空気がモータ１３３の方に誘導されるよう形成される。第１排出口カバー２４の一端には第２メッシュ２７が設けられる。第２メッシュ２７は網状のフィルターとして、第１排気口２３を介して排出される空気中の残留ゴミを除去し、きれいな空気をモータ１３３の方に排出する。第２メッシュ２７は第１メッシュ１２と同一規格のメッシュを使用できるが、第１メッシュ１２より大きい粒子が通過できるよう網目の大きいメッシュを使用することが好ましい。すなわち、単位面積当たり形成された網目の数を比較して第２メッシュ２７の網目の数が第１メッシュ１２の網目の数より少ないことが好ましい。このように、第２メッシュ２７が第１メッシュ１２より大きい粒子を通過させることができるので、第１メッシュ１２が詰まっても第２メッシュ２７を介して排気される。また、第２メッシュ２７が詰まった場合、簡単に入れ替えることができるよう、第１排出口カバー２４は第１サイクロンボディ２２に対して分離可能な構造であることが好ましい。
【００２８】
第１サイクロン２０下部には第１サイクロン２０により分離されたゴミを収集するための第１ゴミ収集筒２５が設けられる。本実施形態の場合は、第１ゴミ収集筒２５は第１サイクロンボディ２２と一体に形成される。
【００２９】
第２サイクロン３０は第１サイクロン２０と並列に設けられ、空気吸入口２を介して吸入された空気からゴミを分離して、きれいな空気をモータ１３３の方に排出する。このとき、第２サイクロン３０は図３及び図４に示すように、バイパス流路１０について第１サイクロン２０と対称して設けられることが好ましい。第２サイクロン３０は、第２空気流入口３１、第２サイクロンボディ３２、第２排気口３３、第２排出カバー３４、及び第２ゴミ収集筒３５を含む。
【００３０】
第１メッシュ１２と第１サイクロン２０が詰まることで吸入された空気とゴミが第１メッシュ１２と第１サイクロン２０に流入されない場合、空気吸入口２を介して流入された空気とゴミが第２サイクロン３０に流入されるよう、第２空気流入口３１は空気吸入口２の側方に第２サイクロンボディ３２に形成される。このとき、第２サイクロン３０の第２空気流入口３１と空気吸入口２との間には第２サイクロンボディ３２から所定距離だけ離隔されるようガイド部材３９を設けることが好ましい。図４に示すように、ガイド部材３９は、第１メッシュ１２と第１サイクロン２０が詰まっていない場合、空気吸入口２を介して吸入された空気に含まれたゴミが直接第２サイクロン３０に流入されないよう、第１メッシュ１２と第１サイクロン２０が詰まっている場合は、空気吸入口２を介して吸入されたゴミが空気と共に第２空気流入口３１を介して第２サイクロン３０に流入されるよう形成される。
【００３１】
第２サイクロンボディ３２は第２空気流入口３１を介して流入された空気とゴミが旋回気流をなすよう円筒形に成型され、第２排気口３３は遠心力によりゴミの除去された空気が抜け出るよう第２サイクロンボディ３２の中心に設けられる。第２排気口３３の内側には排出される空気中の残留ゴミを除去し、排出される空気に乗ってゴミが逆流することを防止するための複数の第２ゴミ除去板３６が配される。第２ゴミ除去板３６は螺旋形に成型されることが好ましい。また、図示していないが、第２排気口３３は外周面に多数の微細孔が形成されたグリル状のものを使用できる。第２排出口カバー３４は第２排気口３３を介した空気をモータ１３３の方に誘導するよう形成される。第２排出口カバー３４のモータ１３３の方の一端には第３メッシュ３７が設けられる。第３メッシュ３７は網状のフィルターとして、第２排気口３３を介して排出される空気中の残留ゴミをろ過して、きれいな空気をモータ１３３の方に排出する。第３メッシュ３７は第２メッシュ２７と同一規格のメッシュを使用できるが、第２メッシュ２７より大きい粒子が通過できるよう網目の大きいメッシュを使用することが好ましい。すなわち、単位面積当たり形成された網目の数を比較して第３メッシュ３７の網目の数が第２メッシュ２７の網目の数より少ないことが好ましい。このように、第３メッシュ３７が第２メッシュ２７より大きい粒子を通過させることができるので、第２メッシュ２７が詰まっても第３メッシュ３７を介して排気される。また、第３メッシュ３７が第２メッシュ２７より大きい粒子を通過させることができ、第２メッシュ２７は第１メッシュ１２より大きい粒子を通過させることができる場合、第１メッシュ１２と第２メッシュ２７が順次詰まっても空気は第３メッシュ３７を介してモータ１３３の方に排出される。また、第３メッシュ３７を簡単に入れ替えることができるよう、第２排出口カバー３４は第２サイクロンボディ３２に対して分離可能な構造であることが好ましい。また、第２排出口カバー３４は第１排出口カバー２４と別に設けることができるが、図１及び図３に示すように、第１排出口カバー２４と第２排出口カバー３４と一体に形成し、第１及び第２サイクロンボディ２２、３２に対して所定の角度回転できるようヒンジ２８を介して取付けることが好ましい。
【００３２】
また、第２サイクロン３０の直径は第１サイクロン２０の直径より小さいことが好ましい。すなわち、第２サイクロンボディ３２と第２排気口３３の直径が第１サイクロンボディ２２と第１排気口２３の直径より小さいことが好ましい。これは、サイクロンの直径が小さいほど微細ホコリを捕集できるからである。
【００３３】
第２サイクロン３０下部には第２サイクロン３０により分離されたゴミを収集するための第２ゴミ収集筒３５が設けられる。本実施形態の場合には第２ゴミ収集筒３５は第２サイクロンボディ３２と一体に形成される。また、本実施形態の場合には第１ゴミ収集筒２５、第２ゴミ収集筒３５、バイパス流路１０の下部に設けられたゴミ収集筒１５の底が一体に形成される。すなわち、図３の底板４０は第１ゴミ収集筒２５の底、第２ゴミ収集筒３５の底、及びバイパス流路１０のゴミ収集筒１５の底をなしている。また、底板４０は第１メッシュ１２が設けられる前面壁４１にヒンジ４２を介して取付けられる。従って、図７に示すように、底板４０をヒンジ４２を中心にして一定角度回転させれば第１ゴミ収集筒２５、第２ゴミ収集筒３５、及びバイパス流路１０のゴミ収集筒１５の底が開放されることにより、収集されたゴミを捨てることができる。本実施形態のように、底板４０が一定の角度回転するようヒンジ４２で固定することは一実施形態にすぎず、底板４０が第１ゴミ収集筒２５、第２ゴミ収集筒３５、及びバイパス流路１０のゴミ収集筒１５に対して、摺動して開閉されるよう設けることもできる。
【００３４】
また、サイクロン集塵装置１の第１メッシュ１２、第２メッシュ２７、第３メッシュ３７とモータ１３３との間にフィルター組立体５０を設けることが好ましい。フィルター組立体５０は、第１メッシュ１２、第２メッシュ２７、第３メッシュ３７を介した空気に含まれた微細ホコリをろ過する微細フィルター５１と、微細フィルター５１を固定するフィルターハウジング５２とから構成される。
【００３５】
以下、前記のように構成された本発明にかかる真空掃除機用のサイクロン集塵装置１の一実施形態の作用について添付した図８〜１０に基づいて説明する。
【００３６】
モータ１３３が回転されれば吸引力が発生し、該吸引力はサイクロン集塵装置１の第１メッシュ１２と第１サイクロン２０及び第２サイクロン３０を通じて同時に空気吸入口２に働く。すると、空気吸入口２に連通された吸入ブラシ１１０からゴミと共に空気が真空掃除機用のサイクロン集塵装置１に吸入される。このとき、モータ１３３の吸引力が第１メッシュ１２と第１サイクロン２０及び第２サイクロン３０を通じて同時に働くので、真空掃除機の吸引力が向上される。
【００３７】
ゴミを含んだ空気が空気吸入口２を介して吸入されれば、空気と共に吸入されたゴミはバイパス流路１０を介して最も強力な吸引力の働く第１メッシュ１２に移動する。これについて、図８に太い矢印で示されている。第１メッシュ１２によりろ過されたゴミは貫通ホール１３を介してゴミ収集筒１５に落下し溜まる。このとき、ゴミと共に吸入された空気は第１メッシュ１２と第１サイクロン２０及び第２サイクロン３０を介してモータ１３３の方に移動する。これについて、図８に細い矢印で示されている。この状態でゴミを続いて吸入すれば、吸入されたゴミにより第１メッシュ１２が詰まる。第１メッシュ１２の網目は第２メッシュ２７や第３メッシュ３７より小さいので、第２メッシュ２７や第３メッシュ３７より早く詰まる。
【００３８】
バイパス流路１０の第１メッシュ１２が詰まると、モータ１３３の吸引力が主に第１サイクロン２０を通じて働く（図９参照）。これは、第２メッシュ２７はゴミにより詰まっていないためである。従って、空気吸入口２を介して吸入されたゴミは空気に乗って第１メッシュ１２の側方に第１サイクロンボディ２２に形成された第１空気吸入口２１を介して第１サイクロンボディ２２内部に流入される。第１サイクロンボディ２２内部に流入された空気とゴミは旋回気流をなす。従って、空気と共に第１サイクロン２０に流入されたゴミは遠心力により空気から分離され落下する。落下するゴミは第１ゴミ収集筒２５の底に溜まる。ほとんどのゴミが除去された空気は第１排気口２３を介して上昇し第１排出口カバー２４に移動する。このとき、遠心力により除去されず排出される空気に含まれたゴミ、または上昇する排出空気に乗って逆流するゴミは第１排気口２３に配した第１ゴミ除去板２６により除去される。第１排気口２３を通った空気は第１排出口カバー２４に沿って流れて第２メッシュ２７に排出される。このとき、第１排気口２３を通った後も空気中の残留ゴミは第２メッシュ２７によりろ過される。
【００３９】
引き続き、掃除を行うことで第１サイクロン２０の第２メッシュ２７がゴミにより詰まると、モータ１３３の吸引力は第２サイクロン３０を通じて働く（図１０参照）。従って、空気吸入口２を介して吸入されたゴミは空気と共にガイド部材３９と第２サイクロンボディ３２との間の流路３８に沿って、第２空気流入口３１を介して第２サイクロンボディ３２内部に流入される。第２サイクロンボディ３２内部に流入された空気とゴミは旋回気流をなす。従って、空気と共に第２サイクロンボディ３２に流入されたゴミは遠心力により空気から分離され落下する。落下するゴミは第２ゴミ収集筒３５の底に溜まる。このとき、第２サイクロン３０の直径が第１サイクロン２０の直径より小さいので、第１サイクロン２０で除去されないゴミも第２サイクロン３０で除去される。ほとんどのゴミが除去された空気は第２排気口３３を介して上昇して第２排出口カバー３４に移動する。このとき、遠心力により除去されず排出される空気に含まれたゴミ、または上昇する排出空気に乗って逆流するゴミは第２排気口３３に配した第２ゴミ除去板３６により除去される。第２排気口３３を介した空気は第２排出口カバー３４に沿って流れ第３メッシュ３７に排出される。このとき、第２排気口３３を通った後も空気中の残留ゴミは第３メッシュ３７によりろ過される。
【００４０】
すなわち、本発明にかかる真空掃除機用のサイクロン集塵装置１によれば、吸入されたゴミは第１メッシュ１２、第１サイクロン２０、第２サイクロン３０により順次空気から分離／捕集される。しかし、ゴミと共に吸入された空気は掃除初期には第１メッシュ１２、第１サイクロン２０、第２サイクロン３０を介して外部に排出される。一定時間が経った後、第１メッシュ１２が詰まると、吸入された空気は第１サイクロン２０と第２サイクロン３０を介して外部に排出される。その後、第１サイクロン２０が詰まると、吸入された空気は第２サイクロン３０のみを介して外部に排出される。
【００４１】
このように、第１メッシュ１２、第１サイクロン２０、第２サイクロン３０が順次作動するので、本発明にかかる真空掃除機用のサイクロン集塵装置１の圧力損失は従来のサイクロン集塵装置より小さい。例えば、本発明にかかる真空掃除機用のサイクロン集塵装置１の掃除初期の圧力損失は約４７ｍｍＨ２Ｏであるが、従来のサイクロン集塵装置は約５８ｍｍＨ２Ｏである。また、第１メッシュ１２が詰まった時の本発明にかかる真空掃除機用のサイクロン集塵装置１の圧力損失は約１８０ｍｍＨ２Ｏであるが、従来のサイクロン集塵装置は約６３５ｍｍＨ２Ｏである。
【００４２】
また、第１メッシュ１２、第１サイクロン２０、第２サイクロン３０を介した空気は微細フィルター５１を介してモータ１３３の方に流入されて外部に排出される。
（実施形態２）
【００４３】
前記のような発明である真空掃除機用のサイクロン集塵装置１はキャニスター型やアップライト型などの多様な種類の真空掃除機に適用可能である。図１１は本発明にかかる真空掃除機用のサイクロン集塵装置１を備えた真空掃除機の一例としてキャニスター型真空掃除機１００を示す。
【００４４】
同図に示すように、本発明にかかる真空掃除機用のサイクロン集塵装置を備えた真空掃除機１００はゴミを吸入する吸入ブラシ１１０、吸入ブラシ１１０とサイクロン集塵装置１とを連通する延長管組立体１２０、及びサイクロン集塵装置１が設けられる本体１３０を含む。
【００４５】
吸入ブラシ１１０は被掃除面と直に接触する部分であり、その底面に設けられゴミと共に空気が吸入される吸入口１１１と、吸入口１１１を介して吸入されたゴミと空気が流れる吸入路１１２が設けられる。
【００４６】
延長管組立体１２０は吸入ブラシ１１０と連結される延長管１２１と、一端は延長管１２１と連結され他端は本体１３０のサイクロン集塵装置１と連通されるフレキシブルホース１２２を含む。
【００４７】
本体１３０はサイクロン集塵装置１が設けられる集塵室１３１と空気の吸引力を発生させるモータ１３３が設けられるモータ室１３２とに分離、区画されている。集塵室１３１に設けられたサイクロン集塵装置１は第１メッシュ１２が設けられるバイパス流路１０と、並列に設けられ順次動作する第１サイクロン２０及び第２サイクロン３０を含む。バイパス流路１０、第１サイクロン２０、第２サイクロン３０の構造は前述した実施形態と同様であるので詳細な説明は省く。
【００４８】
吸入ブラシ１１０の吸入口１１１を介して吸入される空気とゴミは延長管１２１とフレキシブルホース１２２を介してサイクロン集塵装置１の空気吸入口２を介して吸入される。吸入されたゴミは順次第１メッシュ１２、第１サイクロン２７、第２サイクロン３７によりろ過される。サイクロン集塵装置１がゴミをろ過する動作は前述した実施形態と同様であるので詳細な説明は省く。第１メッシュ１２、第１サイクロン２０、第２サイクロン３０を介した空気は微細フィルター５１を介してモータ室１３２に流入される。モータ室１３２に流入された空気は排気孔１３５を介して本体１３０の外部に排出される。
【００４９】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【産業上の利用可能性】
【００５０】
本発明にかかる真空掃除機用のサイクロン集塵装置は真空掃除機を生産、販売、使用などが行われる産業分野に適用可能である。
【図面の簡単な説明】
【００５１】
【図１】本発明にかかる真空掃除機用のサイクロン集塵装置の一実施形態を示す斜視図である。
【図２】図１の真空掃除機用のサイクロン集塵装置の平面図である。
【図３】図１の真空掃除機用のサイクロン集塵装置からフィルターを分離した状態を示す斜視図である。
【図４】図３の真空掃除機用のサイクロン集塵装置において第１空気吸入口、第２空気吸入口、ガイド部材の配置を説明するための断面図である。
【図５】図２の真空掃除機用のサイクロン集塵装置を断面Ａ−Ａを示す断面図である。
【図６】図１の真空掃除機用のサイクロン集塵装置において排出カバーを開けた状態を示す平面図である。
【図７】図１の真空掃除機用のサイクロン集塵装置において捕集されたゴミを捨てる状態を示す斜視図である。
【図８】図１の真空掃除機用のサイクロン集塵装置において掃除初期に排気される状態を説明するための図である。
【図９】図１の真空掃除機用のサイクロン集塵装置において第１メッシュが詰まった後、第１サイクロンによりゴミが捕集される状態を説明するための図である。
【図１０】図１の真空掃除機用のサイクロン集塵装置において第１メッシュ及び第１サイクロンが詰まった後、第２サイクロンによりゴミが捕集される状態を説明するための図である。
【図１１】本発明にかかる真空掃除機用のサイクロン集塵装置を備えた真空掃除機の一例を示す図である。
【符号の説明】
【００５２】
１        サイクロン集塵装置
２        空気吸入口
１０      バイパス流路
１１      排気口
１２      第１メッシュ
１３      貫通孔
１５      ゴミ収集筒
２０      第１サイクロン
２１      第１空気流入口
２２      第１サイクロンボディ
２３      第１排気口
２４      第１排出口カバー
２５      第１ゴミ収集筒
２７      第２メッシュ
３０      第２サイクロン
３１      第２空気流入口
３２      第２サイクロンボディ
３３      第２排気口
３４      第２排出口カバー
３５      第２ゴミ収集筒
３７      第３メッシュ
３９      ガイド部材
４０      底板
４２      ヒンジ
５０      フィルター組立体
５１      微細フィルター
１００    真空掃除機
１１０    吸入ブラシ
１２０    延長管組立体
１３０    掃除機本体
１３３    モータ
【図１】
2006297051.tif 000003
【図２】
2006297051.tif 000004
【図３】
2006297051.tif 000005
【図４】
2006297051.tif 000006
【図５】
2006297051.tif 000007
【図６】
2006297051.tif 000008
【図７】
2006297051.tif 000009
【図８】
2006297051.tif 000010
【図９】
2006297051.tif 000011
【図１０】
2006297051.tif 000012
【図１１】
2006297051.tif 000013